(57)【要約】【課題】ユーザの希望にそった地点情報を確実に検索することが可能となる地点検索装置、地点検索方法及びプログラムを提供する。【解決手段】ＣＰＵ４１は、属性に「名称」を有する検索語（第１検索語）と属性に「ジャンル」を有する検索語（第２検索語）とが入力された場合には、この第１検索語によって特定される地点の周辺において、第２検索語に対応するジャンルに該当する地点情報を検索して、周辺検索の「地点情報」として記憶する。また、ＣＰＵ４１は、施設の名称に第１検索語の文字列を含み、且つ、第２検索語に対応するジャンルに該当する施設名を検索して、通常検索の「地点情報」として記憶する。そして、ＣＰＵ４１は、通常検索の「地点情報」を周辺検索の「地点情報」よりも優先して、これらの「地点情報」をリスト表示する。【選択図】図４
2010286871.tif 000002
【特許請求の範囲】
【請求項１】
検索語を入力する入力手段と、
前記入力手段によって入力された検索語の属性を取得する属性取得手段と、
前記入力手段によって複数の検索語が入力された場合には、これらの検索語の属性を前記属性取得手段を介して取得して、属性に名称が含まれている第１の検索語と属性にジャンルが含まれている第２の検索語とが存在するか否かを判定する属性判定手段と、
属性に名称が含まれている第１の検索語と属性にジャンルが含まれている第２の検索語とが存在すると判定された場合には、前記第１の検索語によって地点が特定できるか否かを判定する地点判定手段と、
前記第１の検索語によって地点が特定できると判定された場合には、該第１の検索語によって特定される地点の周辺における前記第２の検索語に対応するジャンルに該当する地点情報を検索する周辺検索手段と、
前記周辺検索手段によって検索された地点情報を表示するように制御する表示制御手段と、
を備えたことを特徴とする地点検索装置。
【請求項２】
属性を選択して検索語を入力する属性指定入力手段と、
前記属性指定入力手段によって名称の属性を選択された第１の検索語とジャンルの属性を選択された第２の検索語とが入力されたか否かを判定する検索語判定手段と、
名称の属性を選択された第１の検索語とジャンルの属性を選択された第２の検索語とが入力されたと判定された場合には、前記第１の検索語によって地点が特定できるか否かを判定する地点判定手段と、
前記第１の検索語によって地点が特定できると判定された場合には、該第１の検索語によって特定される地点の周辺における前記第２の検索語に対応するジャンルに該当する地点情報を検索する周辺検索手段と、
前記周辺検索手段によって検索された地点情報を表示するように制御する表示制御手段と、
を備えたことを特徴とする地点検索装置。
【請求項３】
前記第１の検索語に対応する地点情報と前記第２の検索語に対応する地点情報との論理積によって地点情報を検索する通常検索手段を備え、
前記表示制御手段は、前記通常検索手段によって検索された地点情報を前記周辺検索手段によって検索された地点情報よりも優先して表示するように制御することを特徴とする請求項１又は請求項２に記載の地点検索装置。
【請求項４】
前記地点判定手段は、前記第１の検索語と名称が一致する施設がある場合に、前記第１の検索語によって地点が特定できると判定することを特徴とする請求項１乃至請求項３のいずれかに記載の地点検索装置。
【請求項５】
複数の検索語を入力する入力工程と、
前記入力工程で入力された複数の検索語の属性を取得して、属性に名称が含まれている第１の検索語と属性にジャンルが含まれている第２の検索語とが存在するか否かを判定する属性判定工程と、
前記属性判定工程で属性に名称が含まれている第１の検索語と属性にジャンルが含まれている第２の検索語とが存在すると判定された場合には、前記第１の検索語によって地点が特定できるか否かを判定する地点判定工程と、
前記地点判定工程で前記第１の検索語によって地点が特定できると判定された場合には、該第１の検索語によって特定される地点の周辺における前記第２の検索語に対応するジャンルに該当する地点情報を検索する周辺検索工程と、
前記周辺検索工程で検索された地点情報を表示するように制御する表示制御工程と、
を備えたことを特徴とする地点検索方法。
【請求項６】
コンピュータに、
複数の検索語を入力する入力工程と、
前記入力工程で入力された複数の検索語の属性を取得して、属性に名称が含まれている第１の検索語と属性にジャンルが含まれている第２の検索語とが存在するか否かを判定する属性判定工程と、
前記属性判定工程で属性に名称が含まれている第１の検索語と属性にジャンルが含まれている第２の検索語とが存在すると判定された場合には、前記第１の検索語によって地点が特定できるか否かを判定する地点判定工程と、
前記地点判定工程で前記第１の検索語によって地点が特定できると判定された場合には、該第１の検索語によって特定される地点の周辺における前記第２の検索語に対応するジャンルに該当する地点情報を検索する周辺検索工程と、
前記周辺検索工程で検索された地点情報を表示するように制御する表示制御工程と、
を実行させるためのプログラム。
【発明の詳細な説明】
【技術分野】
【０００１】
本発明は、入力された検索語に基づいて地点情報をリスト表示する地点検索装置、地点検索方法及びプログラムに関するものである。
【背景技術】
【０００２】
従来より、入力された検索語に基づいて地点情報をリスト表示する技術に関し種々提案されている。
例えば、ナビゲーション装置は、入力された検索文字(検索語）に対して、各検索項目（目的地の名称、住所、ジャンル）毎に目的地データを絞り込む。そして、各検索項目間で絞り込まれた目的地データを検索語に対応させて保存する。その後、各検索語毎に保存した各目的地データの全てに含まれる目的地データを抽出し（論理積をとり）、目的地候補としてリスト表示する（例えば、特許文献１参照。）。
【先行技術文献】
【特許文献】
【０００３】
【特許文献１】特開２００９−５４１３３号公報（段落（００１６）〜（００７９）、図１〜図１０）
【発明の概要】
【発明が解決しようとする課題】
【０００４】
しかしながら、前記した特許文献１に記載されたナビゲーション装置によれば、入力された検索語と施設の名称とが一致する場合には、当該名称を含む目的地データだけが目的地候補として抽出されるため、ユーザが期待する地点情報がリスト表示されない可能性がある。例えば、ユーザが名古屋城周辺の土産店を知るために、検索語として「名古屋城」と「おみやげ」とを入力した場合には、目的地データとして名古屋城内で営業しているお土産店「名古屋城おみやげ店／名古屋市中区」だけが抽出され、名古屋城周辺に存在するお土産店を目的地データとして抽出できない可能性がある。
【０００５】
そこで、本発明は、上述した問題点を解決するためになされたものであり、ユーザの希望にそった地点情報を確実に検索することが可能となる地点検索装置、地点検索方法及びプログラムを提供することを目的とする。
【課題を解決するための手段】
【０００６】
前記目的を達成するため請求項１に係る地点検索装置は、検索語を入力する入力手段と、前記入力手段によって入力された検索語の属性を取得する属性取得手段と、前記入力手段によって複数の検索語が入力された場合には、これらの検索語の属性を前記属性取得手段を介して取得して、属性に名称が含まれている第１の検索語と属性にジャンルが含まれている第２の検索語とが存在するか否かを判定する属性判定手段と、属性に名称が含まれている第１の検索語と属性にジャンルが含まれている第２の検索語とが存在すると判定された場合には、前記第１の検索語によって地点が特定できるか否かを判定する地点判定手段と、前記第１の検索語によって地点が特定できると判定された場合には、該第１の検索語によって特定される地点の周辺における前記第２の検索語に対応するジャンルに該当する地点情報を検索する周辺検索手段と、前記周辺検索手段によって検索された地点情報を表示するように制御する表示制御手段と、を備えたことを特徴とする。
【０００７】
また、請求項２に係る地点検索装置は、属性を選択して検索語を入力する属性指定入力手段と、前記属性指定入力手段によって名称の属性を選択された第１の検索語とジャンルの属性を選択された第２の検索語とが入力されたか否かを判定する検索語判定手段と、名称の属性を選択された第１の検索語とジャンルの属性を選択された第２の検索語とが入力されたと判定された場合には、前記第１の検索語によって地点が特定できるか否かを判定する地点判定手段と、前記第１の検索語によって地点が特定できると判定された場合には、該第１の検索語によって特定される地点の周辺における前記第２の検索語に対応するジャンルに該当する地点情報を検索する周辺検索手段と、前記周辺検索手段によって検索された地点情報を表示するように制御する表示制御手段と、を備えたことを特徴とする。
【０００８】
また、請求項３に係る地点検索装置は、請求項１又は請求項２に記載の地点検索装置において、前記第１の検索語に対応する地点情報と前記第２の検索語に対応する地点情報との論理積によって地点情報を検索する通常検索手段を備え、前記表示制御手段は、前記通常検索手段によって検索された地点情報を前記周辺検索手段によって検索された地点情報よりも優先して表示するように制御することを特徴とする。
【０００９】
また、請求項４に係る地点検索装置は、請求項１乃至請求項３のいずれかに記載の地点検索装置において、前記地点判定手段は、前記第１の検索語と名称が一致する施設がある場合に、前記第１の検索語によって地点が特定できると判定することを特徴とする。
【００１０】
また、請求項５に係る地点検索方法は、複数の検索語を入力する入力工程と、前記入力工程で入力された複数の検索語の属性を取得して、属性に名称が含まれている第１の検索語と属性にジャンルが含まれている第２の検索語とが存在するか否かを判定する属性判定工程と、前記属性判定工程で属性に名称が含まれている第１の検索語と属性にジャンルが含まれている第２の検索語とが存在すると判定された場合には、前記第１の検索語によって地点が特定できるか否かを判定する地点判定工程と、前記地点判定工程で前記第１の検索語によって地点が特定できると判定された場合には、該第１の検索語によって特定される地点の周辺における前記第２の検索語に対応するジャンルに該当する地点情報を検索する周辺検索工程と、前記周辺検索工程で検索された地点情報を表示するように制御する表示制御工程と、を備えたことを特徴とする。
【００１１】
更に、請求項６に係るプログラムは、コンピュータに、複数の検索語を入力する入力工程と、前記入力工程で入力された複数の検索語の属性を取得して、属性に名称が含まれている第１の検索語と属性にジャンルが含まれている第２の検索語とが存在するか否かを判定する属性判定工程と、前記属性判定工程で属性に名称が含まれている第１の検索語と属性にジャンルが含まれている第２の検索語とが存在すると判定された場合には、前記第１の検索語によって地点が特定できるか否かを判定する地点判定工程と、前記地点判定工程で前記第１の検索語によって地点が特定できると判定された場合には、該第１の検索語によって特定される地点の周辺における前記第２の検索語に対応するジャンルに該当する地点情報を検索する周辺検索工程と、前記周辺検索工程で検索された地点情報を表示するように制御する表示制御工程と、を実行させるためのプログラムである。
【発明の効果】
【００１２】
前記構成を有する請求項１に係る地点検索装置では、第１の検索語によって特定される地点の周辺において、第２の検索語に対応するジャンルに該当する地点情報を検索して、ユーザの希望にそった地点情報を確実に検索して、リスト表示することが可能となる。これにより、ユーザは目的地を表す第１検索語と希望するジャンルを表す第２検索語とを入力するだけで、ユーザの希望するジャンルに関する目的地周辺の地点情報（施設の名称等である。）を確実に取得することが可能となる。
【００１３】
また、請求項２に係る地点検索装置では、名称の属性を選択された第１の検索語とジャンルの属性を選択された第２の検索語とが入力された場合には、第１の検索語によって特定される地点の周辺において、第２の検索語に対応するジャンルに該当する地点情報を検索して、ユーザの希望にそった地点情報を確実に検索して、リスト表示することが可能となる。これにより、ユーザは名称の属性を選択して目的地を表す第１の検索語を入力し、ジャンルの属性を選択して希望するジャンルを表す第２の検索語を入力するだけで、ユーザの希望するジャンルに関する目的地周辺の地点情報を確実に取得することが可能となる。
【００１４】
また、請求項３に係る地点検索装置では、通常検索手段によって検索された地点情報を周辺検索手段によって検索された地点情報よりも優先して表示するため、ユーザの希望にそった地点情報をより上位にリスト表示することが可能となる。
【００１５】
また、請求項４に係る地点検索装置では、ユーザは知っている施設の名称を第１の検索語として入力することによって、当該施設周辺に存在する第２の検索語のジャンルに該当する地点情報をリスト表示させることができ、希望にそった地点情報を容易に得ることができる。
【００１６】
また、請求項５に係る地点検索方法では、第１の検索語によって特定される地点の周辺において、第２の検索語に対応するジャンルに該当する地点情報を検索して、ユーザの希望にそった地点情報を確実に検索して、リスト表示することが可能となる。これにより、ユーザは目的地を表す第１の検索語と希望するジャンルを表す第２の検索語とを入力するだけで、ユーザの希望するジャンルに関する目的地周辺の地点情報（施設の名称等である。）を確実に取得することが可能となる。
【００１７】
更に、請求項５に係るプログラムでは、コンピュータは当該プログラムを読み込むことによって、第１の検索語によって特定される地点の周辺において、第２の検索語に対応するジャンルに該当する地点情報を検索して、ユーザの希望にそった地点情報を確実に検索して、リスト表示することが可能となる。これにより、ユーザは目的地を表す第１の検索語と希望するジャンルを表す第２の検索語とを入力するだけで、ユーザの希望するジャンルに関する目的地周辺の地点情報（施設の名称等である。）を確実に取得することが可能となる。
【図面の簡単な説明】
【００１８】
【図１】本実施例に係るナビゲーション装置を示したブロック図である。
【図２】文字属性ＤＢに記憶されるジャンルデータファイルの一例を示す図である。
【図３】文字属性ＤＢに記憶される属性データファイルの一例を示す図である。
【図４】入力された複数の検索語から目的地及び目的地周辺のユーザの希望するジャンルの施設を検索してリスト表示する「地点情報表示処理」を示すフローチャートである。
【図５】検索語を入力する検索語入力画面の一例を示す図である。
【図６】検索結果をリスト表示した検索結果表示画面の一例を示す図である。
【発明を実施するための形態】
【００１９】
以下、本発明に係る地点検索装置、地点検索方法及びプログラムをナビゲーション装置について具体化した一実施例に基づき図面を参照しつつ詳細に説明する。
【実施例】
【００２０】
［ナビゲーション装置の概略構成］
先ず、本実施例に係るナビゲーション装置の概略構成について図１に基づいて説明する。図１は本実施例に係るナビゲーション装置１を示したブロック図である。
図１に示すように、本実施例に係るナビゲーション装置１は、自車の現在位置を検出する現在地検出処理部１１と、各種のデータが記録されたデータ記録部１２と、入力された情報に基づいて、各種の演算処理を行うナビゲーション制御部１３と、操作者からの操作を受け付ける操作部１４と、操作者に対して地図等の情報を表示する液晶ディスプレイ１５と、経路案内等に関する音声ガイダンスを出力するスピーカ１６と、不図示の道路交通情報センタや地図情報配信センタ等との間で携帯電話網等を介して通信を行う通信装置１７と、液晶ディスプレイ１５の表面に装着されたタッチパネル１８とから構成されている。また、ナビゲーション制御部１３には自車の走行速度を検出する車速センサ２１が接続されている。
【００２１】
以下に、ナビゲーション装置１を構成する各構成要素について説明すると、現在地検出処理部１１は、ＧＰＳ３１、方位センサ３２、距離センサ３３等からなり、自車位置、自車の向きを表す自車方位、走行距離等を検出することが可能となっている。
【００２２】
また、データ記録部１２は、外部記憶装置及び記録媒体としてのハードディスク（図示せず）と、ハードディスクに記憶された地図情報データベース（地図情報ＤＢ）２５、文字属性データベース（文字属性ＤＢ）２７及び所定のプログラム等を読み出すとともにハードディスクに所定のデータを書き込む為のドライバである記録ヘッド（図示せず）とを備えている。
【００２３】
また、地図情報ＤＢ２５には、ナビゲーション装置１の走行案内や経路探索に使用されるナビ地図情報２６が格納されている。ここで、ナビ地図情報２６には、経路案内及び地図表示に必要な各種情報から構成されており、例えば、各新設道路を特定するための新設道路情報、地図を表示するための地図表示データ、各交差点に関する交差点データ、ノード点に関するノードデータ、施設の一種である道路（リンク）に関するリンクデータ、経路を探索するための探索データ、施設の一種である店舗等のＰＯＩ（Point of Interest）に関する店舗データ、地点を検索するための検索データ等から構成されている。また、店舗データとしては、各地域のホテル、病院、ガソリンスタンド、駐車場、駅、空港、フェリー乗り場等のＰＯＩに関する名称や住所、電話番号等のデータがＰＯＩを特定するＩＤとともに記憶されている。
また、地図情報ＤＢ２５の内容は、不図示の地図情報配信センタから通信装置１７を介して配信された更新情報をダウンロードすることによって更新される。
【００２４】
また、文字属性ＤＢ２７には、後述の地点情報としての施設の名称を階層状に分類されたジャンル別に記憶するジャンルデータファイル５１（図２参照）が格納されている。また、文字属性ＤＢ２７には、後述のように液晶ディスプレイ１５に表示された５０音キー６１(図５参照)から入力された文字列、つまり、検索語に対応する属性を記憶する属性データファイル５２(図３参照）が格納されている。尚、属性には、「名称」、「ジャンル」、「住所」の３つの属性が設定されている(図３参照)。
【００２５】
また、図１に示すように、ナビゲーション装置１を構成するナビゲーション制御部１３は、ナビゲーション装置１の全体の制御を行う演算装置及び制御装置としてのＣＰＵ４１、並びにＣＰＵ４１が各種の演算処理を行うに当たってワーキングメモリとして使用されるとともに、経路が探索されたときの経路データ等が記憶されるＲＡＭ４２、制御用のプログラムのほか、後述の５０音キー６１から入力された複数の検索語から目的地周辺のユーザの希望するジャンルの施設を検索してリスト表示する地点情報表示処理のプログラム(図４参照)等が記憶されたＲＯＭ４３、ＲＯＭ４３から読み出したプログラムを記憶するフラッシュメモリ４４等の内部記憶装置や、時間を計測するタイマ４５等を備えている。
【００２６】
更に、前記ナビゲーション制御部１３には、操作部１４、液晶ディスプレイ１５、スピーカ１６、通信装置１７、タッチパネル１８の各周辺装置（アクチュエータ）が電気的に接続されている。
【００２７】
この操作部１４は、走行開始時の現在地を修正し、案内開始地点としての出発地及び案内終了地点としての目的地を入力する際や施設に関する情報の検索を行う場合等に操作され、各種のキーや複数の操作スイッチから構成される。そして、ナビゲーション制御部１３は、各スイッチの押下等により出力されるスイッチ信号に基づき、対応する各種の動作を実行すべく制御を行う。
【００２８】
また、液晶ディスプレイ１５には、現在走行中の地図情報、後述の検索語入力画面６２(図５参照)、検索した施設の名称をリスト表示する検索結果表示画面７１（図６参照）、操作案内、操作メニュー、キーの案内、現在地から目的地までの推奨経路、推奨経路に沿った案内情報、交通情報、ニュース、天気予報、時刻、メール、テレビ番組等が表示される。
【００２９】
また、スピーカ１６は、ナビゲーション制御部１３からの指示に基づいて、推奨経路に沿った走行を案内する音声ガイダンス等を出力する。ここで、案内される音声ガイダンスとしては、例えば、「２００ｍ先、○○交差点を右方向です。」等がある。
【００３０】
また、通信装置１７は、地図情報配信センタと通信を行う携帯電話網等による通信手段であり、地図情報配信センタとの間で最もバージョンの新しい更新地図情報等の送受信を行う。また、通信装置１７は地図情報配信センタに加えて、道路交通情報センタ等から送信された渋滞情報やサービスエリアの混雑状況等の各情報から成る交通情報を受信する。
【００３１】
また、タッチパネル１８は、液晶ディスプレイ１５の表面部に装着された透明なパネル状のタッチスイッチであり、液晶ディスプレイ１５の画面に表示されたボタンや地図上を押下することによって各種指示コマンドを入力することが可能に構成されている。尚、タッチパネル１８は、液晶ディスプレイ１５の画面を直接押下する光センサ液晶方式等で構成してもよい。
【００３２】
ここで、文字属性ＤＢ２７に格納される地点情報としての施設の名称を階層状に分類されたジャンル別に記憶するジャンルデータファイル５１について図２に基づいて説明する。図２は文字属性ＤＢ２７に格納されるジャンルデータファイル５１の一例を示す図である。
【００３３】
図２に示すように、ジャンルデータファイル５１は、「大分類」と「中分類」と、「小分類」とから構成されている。この「大分類」はジャンルを大きく分類するものであり、「スポーツ」、「食事」、「店」等に分類化されて記憶されている。また、「中分類」は「大分類」の下位層の分類であり、「スポーツ」の下位層には「ボーリング」、「ビリヤード」、「ゴルフ場」等が決められ、「食事」の下位層には「ファーストフード」、「和食」、「洋食」等が決められて記憶されている。そして、「小分類」には、「中分類」に分類された各ジャンルに属する施設の名称や施設の略称、施設を表すキーワード等が記憶されている。
【００３４】
次に、文字属性ＤＢ２７に格納される５０音キー６１から入力された文字列、つまり、検索語に対応する属性を記憶する属性データファイル５２について図３に基づいて説明する。図３は文字属性ＤＢ２７に格納される属性データファイル５２の一例を示す図である。
【００３５】
図３に示すように、属性データファイル５２は、検索語を表す「文字列」と、各属性を表す「名称」、「ジャンル」、「住所」とから構成されている。そして、「文字列」には地点情報としての施設の名称や施設の略称、施設を表すキーワード、ジャンルを表す文字列等が記憶されている。また、属性「名称」は、対応する文字列が、地点情報としての施設の名称や施設の略称、施設を表すキーワード等である旨を表している。また、属性「ジャンル」は、対応する文字列が、ジャンルデータファイル５１の「大分類」、「中分類」、「小分類」のいずれかに記憶されている旨を表している。
【００３６】
また、属性「住所」は、対応する文字列が、ナビ地図情報２６に記憶された地図上の座標位置（例えば、緯度と経度である。）で特定される地名または施設名である旨を表している。そして、各属性を表す「名称」、「ジャンル」、「住所」には、各文字列に対応する属性が、丸印の有無等で記憶されている。例えば、「なごやじょう」の文字列に対応する属性は、「名称」と「住所」である旨が記憶されている。また、「おみやげ」の文字列に対応する属性は、「ジャンル」である旨が記憶されている。また、「まくどなるひこ」の文字列に対応する属性は、「名称」と「ジャンル」である旨が記憶されている。
【００３７】
［地点情報表示処理］
次に、上記のように構成されたナビゲーション装置１のＣＰＵ４１が実行する処理であって、５０音キー６１から入力された複数の検索語から目的地及び目的地周辺のユーザの希望するジャンルの施設を検索してリスト表示する地点情報表示処理について図４乃至図６に基づいて説明する。
【００３８】
図４はＣＰＵ４１が実行する処理であって、入力された複数の検索語から目的地及び目的地周辺のユーザの希望するジャンルの施設を検索してリスト表示する地点情報表示処理を示すフローチャートである。尚、図４にフローチャートで示されるプログラムは、操作部１４の不図示の目的地設定ボタンが押下された場合に、ＣＰＵ４１により実行される。
【００３９】
図４に示すように、先ず、ステップ（以下、Ｓと略記する）１１において、ＣＰＵ４１は、液晶ディスプレイ１５の画面に、地点情報としての施設に関する名称等を検索するための複数の検索語を入力する検索語入力画面６２(図５参照）を表示する。
【００４０】
ここで、検索語入力画面６２の一例について図５に基づいて説明する。図５に示すように、検索語入力画面６２には、５０音キー６１、入力文字表示部６３、検索語表示部６４、修正ボタン６５、戻るボタン６６、次ワードボタン６７、完了ボタン６８が表示される。
【００４１】
この入力文字表示部６３には、５０音キー６１によって入力された入力文字が表示される。そして、次ワードボタン６７が押下された場合には、入力文字表示部６３に表示されている文字列が検索語として検索語表示部６４に表示されるとともに、次の文字列を入力することが可能となる。また、修正ボタン６５を押下する毎に、入力文字表示部６３に表示されている文字列の最終入力文字を１文字ずつ削除することができる。
【００４２】
また、戻るボタン６６を押下することによって、最後の操作の前の状態に戻すことができる。更に、完了ボタン６８を押下することによって、検索語文字表示部６４に表示されている各文字列を検索語として、地点情報としての施設に関する名称等を検索してリスト表示するように指示することができる。
【００４３】
続いて、図４に示すように、Ｓ１２において、ＣＰＵ４１は、検索語が入力されるのを待つ(Ｓ１２：ＮＯ)。つまり、ＣＰＵ４１は、入力文字表示部６３に５０音キー６１から入力された文字列を表示すると共に、次ワードボタン６７が押下されるのを待つ。
そして、検索語が入力された場合、つまり、次ワードボタン６７が押下された場合には(Ｓ１２：ＹＥＳ）、ＣＰＵ４１は、Ｓ１３の処理に移行する。
【００４４】
Ｓ１３において、ＣＰＵ４１は、入力文字表示部６３に表示している文字列を検索語として検索語表示部６４に表示すると共に、この文字列を検索語としてＲＡＭ４２に記憶する。また、ＣＰＵ４１は、この検索語を構成する文字列を、文字属性ＤＢ２７に格納される属性データフィル５２の「文字列」として、この「文字列」に対応する属性を読み出し、当該検索語に対応する属性としてＲＡＭ４２に記憶する。
【００４５】
例えば、検索語が「なごやじょう」の場合には、この「なごやじょう」に対応する属性として「名称」と「住所」を読み出し(図３参照)、当該検索語「なごやじょう」の属性として「名称」と「住所」をＲＡＭ４２に記憶する。また、検索語が「おみやげ」の場合には、この「おみやげ」に対応する属性として「ジャンル」を読み出し(図３参照)、当該検索語「おみやげ」の属性として「ジャンル」をＲＡＭ４２に記憶する。
【００４６】
続いて、Ｓ１４において、ＣＰＵ４１は、検索語表示部６４に表示された検索語から施設の名称等を検索して目的地候補としてリスト表示するよう指示されたか否か、つまり、完了ボタン６８が押下されたか否かを判定する判定処理を実行する。
【００４７】
そして、検索語表示部６４に表示された検索語から施設の名称等の目的地候補を検索してリスト表示するよう指示されていない場合、つまり、完了ボタン６８が押下されないで、他の５０音キー６１等が押下された場合には(Ｓ１４：ＮＯ)、ＣＰＵ４１は、再度Ｓ１２以降の処理を実行する。
【００４８】
一方、検索語表示部６４に表示された検索語から施設の名称等の目的地候補を検索してリスト表示するよう指示された場合、つまり、完了ボタン６８が押下された場合には(Ｓ１４：ＹＥＳ)、ＣＰＵ４１は、Ｓ１５の処理に移行する。Ｓ１５において、ＣＰＵ４１は、入力された各検索語の属性をＲＡＭ４２から順次読み出し、「名称」の属性を有する検索語（第１検索語）と「ジャンル」の属性を有する検索語（第２検索語）とがそれぞれ個別に存在するか否かを判定する判定処理を実行する。
【００４９】
そして、「名称」の属性を有する検索語と「ジャンル」の属性を有する検索語とがそれぞれ個別に存在しないと判定した場合には（Ｓ１５：ＮＯ）、ＣＰＵ４１は、後述のＳ１８の処理に移行する。
【００５０】
一方、「名称」の属性を有する検索語と「ジャンル」の属性を有する検索語とがそれぞれ個別に存在すると判定した場合には（Ｓ１５：ＹＥＳ）、ＣＰＵ４１は、Ｓ１６の処理に移行する。例えば、属性「名称」と「住所」を有する検索語「なごやじょう」（第１検索語）と、属性「ジャンル」を有する検索語「おみやげ」（第２検索語）とが存在した場合には（Ｓ１５：ＹＥＳ）、ＣＰＵ４１は、Ｓ１６の処理に移行する。
【００５１】
Ｓ１６において、ＣＰＵ４１は、属性「名称」を有する検索語の文字列によって地点を特定できるか否か、つまり、当該検索語が属性「住所」も有し、且つ、ナビ地図情報２６に当該検索語の文字列と名称が一致する施設が記憶されているか否かを判定する判定処理を実行する。
【００５２】
そして、属性「名称」を有する検索語の文字列によって地点を特定できないと判定した場合、つまり、当該検索語が属性「住所」を有していない場合、又は、当該検索語が属性「住所」を有しているが、ナビ地図情報２６に当該検索語の文字列と名称が一致する施設が記憶されていない場合には（Ｓ１６：ＮＯ）、ＣＰＵ４１は、後述のＳ１８の処理に移行する。
【００５３】
一方、属性「名称」を有する検索語の文字列によって地点を特定できると判定した場合、つまり、当該検索語が属性「住所」も有し、且つ、ナビ地図情報２６に当該検索語の文字列と名称が一致する施設が記憶されている場合には（Ｓ１６：ＹＥＳ）、ＣＰＵ４１は、Ｓ１７の処理に移行する。例えば、検索語「なごやじょう」が属性「名称」と「住所」を有し、且つ文字列「なごやじょう」と名称が一致する施設「名古屋城」が、ナビ地図情報２６に記憶されている場合には（Ｓ１６：ＹＥＳ）、ＣＰＵ４１は、Ｓ１７の処理に移行する。
【００５４】
Ｓ１７において、ＣＰＵ４１は、先ず、当該検索語の文字列と名称が一致する施設のナビ地図情報２６に記憶される地図上の座標位置（例えば、緯度と経度である。）を読み出し、当該施設より外側の所定範囲（例えば、４ｋｍ四方や半径４ｋｍのエリアである。）、つまり、当該施設の周辺を検索エリアとしてＲＡＭ４２に記憶する。例えば、施設「名古屋城」より外側の４ｋｍ四方を検索エリアとする。
【００５５】
そして、ＣＰＵ４１は、「ジャンル」の属性を有する検索語（第２検索語）をＲＡＭ４２から読み出し、当該第２検索語がジャンルデータファイル５１の「小分類」に属する場合には、この第２検索語の文字列を検索語とする。そして、ＣＰＵ４１は、検索エリア内において、この検索語を一部に有する又は全部とする「施設名称」をナビ地図情報２６から検索して周辺検索の「地点情報」としてＲＡＭ４２に記憶する。
【００５６】
例えば、図２に示すように、「ジャンル」の属性を有する検索語（第２検索語）が「えいといれぶん」の場合には、この「えいといれぶん」の文字列を検索語とする。そして、ＣＰＵ４１は、施設「名古屋城」より外側の４ｋｍ四方の検索エリア内において、この「えいといれぶん」の文字列を一部に有する又は全部とする「施設名称」をナビ地図情報２６から検索して周辺検索の「地点情報」としてＲＡＭ４２に記憶する。
【００５７】
また、ＣＰＵ４１は、「ジャンル」の属性を有する検索語（第２検索語）をＲＡＭ４２から読み出し、当該第２検索語がジャンルデータファイル５１の「大分類」または「中分類」に属する場合には、この「大分類」または「中分類」のジャンルに属する各「小分類」の文字列を検索語とする。そして、ＣＰＵ４１は、設定された検索エリア内において、これらの検索語を一部に有する又は全部とする「施設名称」をナビ地図情報２６から検索して周辺検索の「地点情報」としてＲＡＭ４２に記憶する。
【００５８】
例えば、図２に示すように、「ジャンル」の属性を有する検索語（第２検索語）が「おみやげ」の場合には、この「中分類」の「おみやげ」に属する「小分類」の文字列を検索語とする。そして、ＣＰＵ４１は、施設「名古屋城」より外側の４ｋｍ四方の検索エリア内において、これらの検索語を一部に有する又は全部とする「施設名称」をナビ地図情報２６から検索して、「おみやげ市場○○／名古屋市中区」、「おみやげ○○○○／名古屋市中区」、「□□□土産店／名古屋市中区」、・・・等を周辺検索の「地点情報」としてＲＡＭ４２に記憶する。
【００５９】
また、図２に示すように、「ジャンル」の属性を有する検索語（第２検索語）が「スポーツ」の場合には、この「大分類」の「スポーツ」に属する各「中分類」の「ボーリング」、「ビリヤード」、「ゴルフ場」、・・・のそれぞれに属する「小分類」の文字列を検索語とする。そして、ＣＰＵ４１は、施設「名古屋城」より外側の４ｋｍ四方の検索エリア内において、これらの検索語を一部に有する又は全部とする「施設名称」をナビ地図情報２６から検索して周辺検索の「地点情報」としてＲＡＭ４２に記憶する。
【００６０】
続いて、Ｓ１８において、ＣＰＵ４１は、上記Ｓ１４で決定された検索語について、該当する施設を通常検索し、通常検索の「地点情報」としてＲＡＭ４２に記憶する。
具体的には、ＣＰＵ４１は、検索語の属性が「名称」の場合には、検索語の文字列を含む名称の施設を検索するように検索条件を設定する。また、ＣＰＵ４１は、検索語の属性が「住所」の場合には、検索語の文字列を含むエリア内または施設内を検索エリアとするように検索条件を設定する。
【００６１】
また、ＣＰＵ４１は、検索語の属性が「ジャンル」で、検索語の文字列がジャンルデータファイル５１の「小分類」に該当する場合には、当該文字列を一部に有する又は全部とする施設を検索するように検索条件を設定する。また、ＣＰＵ４１は、検索語の属性が「ジャンル」で、検索語の文字列がジャンルデータファイル５１の「大分類」または「中分類」に該当する場合には、この「大分類」または「中分類」のジャンルに属する各「小分類」の文字列を一部に有する又は全部とする施設を検索するように検索条件を設定する。
【００６２】
そして、ＣＰＵ４１は、同じ属性の検索語で検索された施設の論理和を取った後、別属性の検索語で検索された各施設との論理積を取って、通常検索の「地点情報」（施設の名称）としてＲＡＭ４２に記憶する。例えば、属性「名称」と「住所」を有する文字列「なごやじょう」と、属性「ジャンル」を有する文字列「おみやげ」が検索語として入力された場合には、施設の名称に「名古屋城」を含み、ジャンルが「おみやげ」の施設の施設名「名古屋城お土産店／名古屋市中区」、「名古屋城南のお土産店／名古屋市中区」が通常検索の「地点情報」としてＲＡＭ４２に記憶される。
【００６３】
続いて、Ｓ１９において、ＣＰＵ４１は、上記Ｓ１８で検索した通常検索の「地点情報」と、上記Ｓ１７で検索した周辺検索の「地点情報」とをＲＡＭ４２から読み出し、この通常検索の「地点情報」を優先してリスト表示するように表示順位をソートして、リストとして一覧表示後、当該処理を終了する。尚、液晶ディスプレイ１５には、一度に５件等、リスト順に所定個数表示される(図６参照)。また、通常検索の「地点情報」と、周辺検索の「地点情報」とは、それぞれ目的地に近い順にソートして、この通常検索の「地点情報」を優先してリスト表示するようにしてもよい。
【００６４】
ここで、図５に示すように、検索語入力画面６２で、検索語として「なごやじょう」、「おみやげ」が入力されて、完了ボタン６８が押下された場合の結果リスト表示の一例について図６に基づいて説明する。図６は検索結果をリスト表示した検索結果表示画面７１の一例を示す図である。
【００６５】
先ず、ＣＰＵ４１は、上記Ｓ１８で検索した通常検索の「地点情報」として「名古屋城お土産店／名古屋市中区」、「名古屋城南のお土産店／名古屋市中区」をＲＡＭ４２から読み出す。また、ＣＰＵ４１は、上記Ｓ１７で検索した周辺検索の「地点情報」として「おみやげ市場○○／名古屋市中区」、「おみやげ○○○○／名古屋市中区」、「□□□土産店／名古屋市中区」、・・・等をＲＡＭ４２から読み出す。そして、通常検索の「地点情報」を優先して表示するように表示順位をソートする。
【００６６】
続いて、図６に示すように、ＣＰＵ４１は、液晶ディスプレイ１５に検索結果表示画面７１を表示し、５つの検索結果表示欄７２に「名古屋城お土産店／名古屋市中区」、「名古屋城南のお土産店／名古屋市中区」、「おみやげ市場○○／名古屋市中区」、「おみやげ○○○○／名古屋市中区」、「□□□土産店／名古屋市中区」等、施設「名古屋城」を中心とする土産店に関する検索上位５件の地点情報（施設の名称）を優先順位順に表示する。
【００６７】
ここで、ユーザが、検索結果表示欄７２の地点情報（施設の名称）を押下して選択すると、ＣＰＵ４１は、当該施設を目的地に設定して経路探索を行い、推奨経路を地図上に表示する。また、当該施設に関する施設情報（例えば、営業時間、料金等である。）を表示する。
【００６８】
また、検索結果表示画面７１の上部には、件数表示部７３が設けられ、検索した検索対象の件数が表示されている。また、各検索結果表示欄７２の左側には、検索結果表示欄７２の施設の名称を１件ずつスクロールダウン、スクロールアップするための前ボタン７４、次ボタン７５と、検索結果表示欄７２の施設の名称を５件ずつスクロールダウン、スクロールアップするための各頁ボタン７６、７７とが表示されている。
【００６９】
以上詳細に説明した通り、本実施例に係るナビゲーション装置１では、ＣＰＵ４１は、属性に「名称」を有する検索語（第１検索語）と属性に「ジャンル」を有する検索語（第２検索語）とが入力された場合には、この第１検索語によって特定される地点の周辺において、第２検索語に対応するジャンルに該当する地点情報を検索して、ユーザの希望にそった地点情報を確実に検索して、リスト表示することが可能となる。これにより、ユーザは目的地を表す第１検索語と希望するジャンルを表す第２検索語とを入力するだけで、ユーザの希望するジャンルに関する目的地周辺の地点情報（施設の名称等である。）を容易に取得することが可能となる。
【００７０】
また、ＣＰＵ４１は、属性「名称」を有する検索語（第１検索語）と属性に「ジャンル」を有する検索語（第２検索語）とが入力された場合には、施設の名称に第１検索語の文字列を含み、且つ、第２検索語に対応するジャンルに該当する施設名を検索して、優先して上位にリスト表示する。これにより、ユーザは目的地を表す第１検索語と希望するジャンルを表す第２検索語とを入力するだけで、ユーザの希望するジャンルに関する目的地の地点情報（施設の名称等である。）を確実に取得することが可能となる。
【００７１】
尚、本発明は前記実施例に限定されるものではなく、本発明の要旨を逸脱しない範囲内で種々の改良、変形が可能であることは勿論である。
【００７２】
例えば、検索語入力画面６２において、入力する検索語の属性として属性「名称」を選択する「名称選択ボタン」と、属性「ジャンル」を選択する「ジャンル選択ボタン」と、属性「住所」を選択する「住所選択ボタン」を設け、属性データフィル５２を文字属性ＤＢ２７に格納しないようにしてもよい。ここで、「名称選択ボタン」、「ジャンル選択ボタン」又は「住所選択ボタン」は、属性指定入力手段の一例を構成する。
【００７３】
そして、上記Ｓ１２において、ユーザは、検索語の入力前に「名称選択ボタン」、「ジャンル選択ボタン」又は「住所選択ボタン」を押下することによって、検索語の属性を指定することが可能となる。そして、ユーザは、５０音キー６１から文字列を入力して次ワードボタン６７を押下することによって、選択した属性の検索語を入力することが可能となる。
【００７４】
一方、ＣＰＵ４１は、「名称選択ボタン」、「ジャンル選択ボタン」又は「住所選択ボタン」の中から押下されたボタンに対応する属性を、入力された検索語とともに、この検索語に対応する属性としてＲＡＭ４２に記憶することが可能となる。
【００７５】
例えば、「名称選択ボタン」が押下されて、検索語「なごやじょう」が入力された場合には、ＣＰＵ４１は、検索語「なごやじょう」に対応する属性として「名称」をＲＡＭ４２に記憶する。また、「ジャンル選択ボタン」が押下されて、検索語「おみやげ」が入力された場合には、ＣＰＵ４１は、当該検索語「おみやげ」に対応する属性として「ジャンル」をＲＡＭ４２に記憶するようにしてもよい。
【００７６】
その後、ＣＰＵ４１は、上記Ｓ１３の処理を実行することなく、上記Ｓ１４以降の処理を実行するようにしてもよい。
従って、ＣＰＵ４１は、上記Ｓ１４以降の処理を実行することによって、属性「名称」の第１検索語と属性「ジャンル」の第２検索語とが入力されて、当該第１検索語によって地点が特定される場合には（Ｓ１７：ＹＥＳ）、この第１検索語によって特定される地点の周辺において、第２検索語に対応するジャンルに該当する地点情報を検索して、リスト表示することができる。
【００７７】
これにより、ユーザは目的地を表す第１検索語と希望するジャンルを表す第２検索語とを入力するだけで、ユーザの希望するジャンルに関する目的地周辺の地点情報（施設の名称等である。）を容易に取得することが可能となる。
また、ＣＰＵ４１は、施設の名称に第１検索語の文字列を含み、且つ、第２検索語に対応するジャンルに該当する施設名を検索して、優先して上位にリスト表示することによって（Ｓ１８〜Ｓ１９）、ユーザの希望するジャンルに関する目的地の地点情報（施設の名称等である。）を確実にリスト表示することができる。
【符号の説明】
【００７８】
１        ナビゲーション装置
１４      操作部
１５      液晶ディスプレイ
１８      タッチパネル
２５      地図情報ＤＢ
２７      文字属性ＤＢ
４１      ＣＰＵ
４２      ＲＡＭ
４３      ＲＯＭ
５１      ジャンルデータファイル
５２      属性データファイル
６１      ５０音キー
６２      検索語入力画面
７１      検索結果表示画面
７２      検索結果表示欄
【図１】
2010286871.tif 000003
【図２】
2010286871.tif 000004
【図３】
2010286871.tif 000005
【図４】
2010286871.tif 000006
【図５】
2010286871.tif 000007
【図６】
2010286871.tif 000008